(57)【要約】      （修正有）【課題】てん輪の速度がゼロになった時点で又は実質的にその時点でぜんまいの位置エネルギを変化させることができる調整システムを提供する。【解決手段】第１のサブシステムを備える時計ムーブメント１２のための調整システム１１０であって、第１のてん輪Ｂ１１１及び第１のひげぜんまいＳ１１１を含む第１の発振器Ｏ１１１と、第１のひげぜんまいＳ１１１の第１の変位要素Ｍ１１１と、第１のてん輪Ｂ１１１の速度がゼロになった時点で又は実質的にその時点での第１の変位要素Ｍ１１１の第１の作動要素Ａ１１１と、を含む、調整システム。【選択図】図４
2015096852.tif 000002
【特許請求の範囲】
【請求項１】
第２のサブシステム（１２、１１２、２１２）に結合された第１のサブシステム（１１、１１１、２１１）を備える時計ムーブメント（２、１２、２２）のための調整システム（１０、１１０、２１０）であって、前記第１のサブシステムが、
第１のてん輪（Ｂ１１、Ｂ１１１、Ｂ２１１）及び第１のひげぜんまい（Ｓ１１、Ｓ１１１、Ｓ２１１）を含む第１の発振器（Ｏ１１、Ｏ１１１、Ｏ２１１）と、
衝撃の効果のもとで前記第１のひげぜんまいの端部又は取付部を変位させるように設計された、前記第１のひげぜんまい（Ｓ１１、Ｓ１１１、Ｓ２１１）の第１の変位要素（Ｍ１１、Ｍ１１１、Ｍ２１１）と、
前記第１のてん輪（Ｂ１１、Ｂ１１１、Ｂ２１１）の速度がゼロになった時点で又は実質的にその時点で、すなわち前記第１のてん輪が最小又は最大の角度位置になった時点で又は実質的にその時点で発生する前記第１の変位要素（Ｍ１１、Ｍ１１１、Ｍ２１１）の第１の作動要素（Ａ１１、Ａ１１１、Ａ２１１）と、
を含む、調整システム。
【請求項２】
フレーム（１３、１１３、２１３）を備え、前記第１の要素（Ｍ１１、Ｍ１１１、Ｍ２１１）が前記フレーム及び／又は前記第１のてん輪（Ｂ１１、Ｂ１１１、Ｂ２１１、Ｂ１１’）に対する前記第１のひげぜんまい（Ｓ１１、Ｓ１１１、Ｓ２１１）の一方向の変位を可能とし、又は、前記フレーム及び／又は前記第１のてん輪（Ｂ１１、Ｂ１１１、Ｂ２１１）に対する前記第１のひげぜんまい（Ｓ１１、Ｓ１１１、Ｓ２１１）の２方向の変位を可能とし、特に、前記フレーム及び／又は前記第１のてん輪（Ｂ１１、Ｂ１１１、Ｂ２１１）に対する前記第１のひげぜんまい（Ｓ１１、Ｓ１１１、Ｓ２１１）の内端及び／又は外端の一方向の変位を可能とし、又は、前記フレーム及び／又は前記第１のてん輪（Ｂ１１、Ｂ１１１、Ｂ２１１）に対する前記第１のひげぜんまい（Ｓ１１、Ｓ１１１、Ｓ２１１）の内端及び／又は外端の２方向の変位を可能とする、請求項１に記載の調整システム。
【請求項３】
前記変位が、前記第１のてん輪（Ｂ１１、Ｂ１１１、Ｂ２１１）の回転軸を中心とする回転の変位である、請求項２に記載の調整システム。
【請求項４】
前記第１の変位要素（Ｍ１１、Ｍ１１１、Ｍ２１１）及び／又は前記第１の作動要素（Ａ１１、Ａ１１１、Ａ２１１）に関連付けられた第２の発振器（Ｏ１２、Ｏ１１２、Ｏ２１２）を備える、請求項１から３のいずれか１項に記載の調整システム。
【請求項５】
前記第２の発振器（Ｏ１２、Ｏ１１２、Ｏ２１２）の固有振動周波数が、前記第１の発振器（Ｏ１１、Ｏ１１１、Ｏ２１１）の固有振動周波数と実質的に等しい、請求項４に記載の調整システム。
【請求項６】
前記第２の発振器（Ｏ１２、Ｏ１１２、Ｏ２１２）の振動が、前記第１の発振器（Ｏ１１、Ｏ１１１、Ｏ２１１）の振動に対してほぼ４分の１周期ずれている、請求項５に記載の調整システム。
【請求項７】
前記第２のサブシステムが、
第２のてん輪（Ｂ１２、Ｂ１１２、Ｂ２１２）及び第２のひげぜんまい（Ｓ１２、Ｓ１１２、Ｓ２１２）を含む第２の発振器（Ｏ１２、Ｏ１１２、Ｏ２１２）と、
衝撃の効果のもとで前記第２のひげぜんまいの端部又は取付部を変位させるように設計された、前記第２のひげぜんまい（Ｓ１２、Ｓ１１２、Ｓ２１２）の第２の変位要素（Ｍ１２、Ｍ１１２、Ｍ２１２）と、
前記第２のてん輪（Ｂ１２、Ｂ１１２、Ｂ２１２）の速度がゼロになった時点で又は実質的にその時点で、すなわち前記第２のてん輪が最小又は最大の角度位置になった時点で又は実質的にその時点で発生する前記第２の変位要素の第２の作動要素（Ａ１２、Ａ１１２、Ａ２１２）と、
を備える、請求項４から６のいずれか１項に記載の調整システム。
【請求項８】
フレーム（１３、１１３、２１３）を備え、前記第２の変位要素（Ｍ１２、Ｍ１１２、Ｍ２１２）が前記フレーム及び／又は前記第２のてん輪（Ｂ１２、Ｂ１１２、Ｂ２１２）に対する前記第２のひげぜんまい（Ｓ１２、Ｓ１１２、Ｓ２１２）の一方向の変位を可能とし、又は、前記フレーム及び／又は前記第２のてん輪（Ｂ１２、Ｂ１１２、Ｂ２１２）に対する前記第２のひげぜんまい（Ｓ１２、Ｓ１１２、Ｓ２１２）の２方向の変位を可能とし、特に、前記フレーム及び／又は前記第２のてん輪（Ｂ１２、Ｂ１１２、Ｂ２１２）に対する前記第２のひげぜんまい（Ｓ１２、Ｓ１１２、Ｓ２１２）の内端及び／又は外端の１方向の変位を可能とし、又は、前記フレーム及び／又は前記第２のてん輪（Ｂ１２、Ｂ１１２、Ｂ２１２）に対する前記第２のひげぜんまい（Ｓ１２、Ｓ１１２、Ｓ２１２）の内端及び／又は外端の２方向の変位を可能とする、請求項７に記載の調整システム。
【請求項９】
前記第１の変位要素（Ｍ１１１、Ｍ２１１）が、前記第１のてん輪（Ｂ１１１、Ｂ２１１）の軸上で枢動する第１のレバー又は第１のホイールを備える、請求項１から８のいずれか１項に記載の調整システム。
【請求項１０】
前記第１の変位要素（Ｍ１１１、Ｍ２１１）の前記第１の作動要素（Ａ１１１、Ａ２１１）が、前記第１の変位要素の第１の駆動要素（Ｅ１１１、Ｅ２１１）及び前記第１の駆動要素の第１のトリガ要素（Ｄ１１１、Ｄ２１１）を備える、請求項１から９のいずれか１項に記載の調整システム。
【請求項１１】
前記第１の駆動要素（Ｅ１１１）が、第１のレバー（Ｌ１１１）及び第１のカム（ＣＡ１１１）を備え、前記第１のレバー（Ｌ１１１）が、例えば少なくとも１つの香箱等の駆動機構によって回転される前記第１のカム（ＣＡ１１１）と共働する、請求項１０に記載の調整システム。
【請求項１２】
前記第１のレバー（Ｌ１１１）が第１の従動子（Ｌ１２１）を備え、この第１の従動子が、第１の弾性要素（Ｒ１１１）によって、及び／又は、特に第１のピン又は第１のフォークのような障害物として前記第１の変位要素と共働する第１の要素（ＧＬ１１１）によって押されて前記第１のカムと接触する、請求項１１に記載の調整システム。
【請求項１３】
前記第１のトリガ要素（Ｄ１１１、Ｄ２１１）が、前記カム（ＣＡ１１１、ＣＡ２１１）と一体である第１のガンギ車（ＲＢ１１１、ＲＢ２１１）の第１の閉塞てこ（ＢＬ１１１、ＢＬ２１１）を備える、請求項１０から１２のいずれか１項に記載の調整システム。
【請求項１４】
前記第１の閉塞てこ（ＢＬ１１１、ＢＬ２１１）が、前記第２のてん輪上、特に前記第２のてん輪の第２のプレート上に設けられたピンと共働する第１のフォークを備える、請求項１３に記載の調整システム。
【請求項１５】
フレーム（１３、１１３、２１３）を備え、前記第１のガンギ車が前記フレームに対して固定された軸上で枢動し、又は前記フレームに対して可動である軸上で枢動する、請求項１３又は１４に記載の調整システム。
【請求項１６】
前記第２のサブシステムが前記第１のサブシステムと同一であり、前記第１の作動要素が前記第２の発振器と相互作用し、前記第２の作動要素が前記第１の発振器と相互作用する、請求項１から１５のいずれか１項に記載の調整システム。
【請求項１７】
第１の閉塞てこが前記第２の発振器の第２のてん輪と相互作用し、特に前記第２の発振器の前記第２のてん輪によって制御され、前記第２の閉塞てこが前記第１の発振器の第１のてん輪と相互作用し、特に前記第１の発振器の前記第１のてん輪によって制御される、請求項１６に記載の調整システム。
【請求項１８】
請求項１から１７のいずれか１項に記載の調整システム（１０、１１０、２１０）を備える時計ムーブメント（２、１２、２２）。
【請求項１９】
請求項１から１７のいずれか１項に記載の調整システム又は請求項１８に記載の時計ムーブメントを備える時計部品（３、１３、２３）、特に時計、特に腕時計。
【発明の詳細な説明】
【技術分野】
【０００１】
本発明は、時間ムーブメントのための調整システムすなわち緩急針に関し、又は時計ムーブメントの調整システムすなわち緩急針に関する。また、本発明は、このタイプの調整システムを備えた時計ムーブメントに関する。また、本発明は、このタイプのムーブメント又は調整システムを備えた時計部品、特に時計に関する。
【背景技術】
【０００２】
調速機関（regulating  organ）の振動は一般に、脱進機の衝撃によって維持される。これらの衝撃は、ひげぜんまいアセンブリに対して直接に又は間接的に作用して、運動エネルギの供給等を行う。
【０００３】
脱進機における性能が各衝撃で厳密に同一であるならば、このタイプのひげぜんまいの振動の維持によって、理論上は時計部品の等時性が保証される。しかしながら、脱進機における障害又は駆動機関（drive  organ）により生成される駆動力のばらつきのため、この条件は決して完全には満足されない。
【０００４】
特許文献１から、自由脱進機が知られている。これは、ひげぜんまいによって直接てん輪の振動を維持するように設計されている。この目的のため、ひげぜんまいの外端は、スイスアンクル脱進機のアンクルのものと同様の振動を行うアンクルの端部に固着されている。従って、ひげぜんまいの外端の変位は２方向であり、発振器の１周期全体ではおそらくゼロとなり、これによって明らかに性能が低下すると共にてん輪の振幅が不安定になる。更に、このタイプのデバイスは、てん輪がその振動の終点に達した時点でひげぜんまいに作用することができない。従って、このタイプの解決策では、大きな等時性の欠点が生じる。
【０００５】
また、特許文献２及び特許文献３からも、ひげぜんまいの概念が知られている。これらの出願において、振動は、ひげぜんまいの外端の取付部箇所の変位によって部分的に又は全体的に維持される。更に具体的には、これらの出願は、「トュールビヨン」系に取り入れることができるデバイスに関し、ひげぜんまいの外端の取付部箇所の回転によって、ひげぜんまい−脱進機アセンブリの回転を引き起こす。この目的のため、ひげぜんまいのひげ持ちはガンギ車に取り付けられ、その回転周波数はてん輪ピンによって直接作動されるレバー又はアンクルによって規定される。このピンの位置決めは、好ましくは、てん輪が最大速度になった時点で、アンクルの転換、従っててん輪に対するひげ持ちの回転が起こるようになっている。
【０００６】
特許文献３は、上述の２つの文書の変形の設計について記載している。
【０００７】
また、特許文献５は、同じタイプのデバイスについて記載している。
【０００８】
２００５年に、時計製造者であるクリスチャン・クリングスは、同じ概念に基づいたトュールビヨンを提案した。異なるのは要素の配置だけであり、ひげぜんまいのひげ持ちホルダ上に直接、アンクルが追加されている。
【０００９】
この従来技術に照らし合わせると、ひげぜんまいアセンブリの平衡位置を変えるように設計された脱進機は、てん輪自体によって発生した衝撃のもとで、ひげぜんまいの外端を変位させるように形成されていると考えられる。一般に、適切な衝撃を発生させるため、衝撃は、てん輪が最大速度になった時点に発生する。振動脱進機のためには、この時点で衝撃を発生させて発振器の周期に悪影響を与えないようにすることが適切であるが、位置エネルギの変動があるデバイスではルールは異なり、てん輪の振幅が最大である時、又はてん輪の速度がゼロである時に、脱進機によって衝撃が与えられなければならない。
【先行技術文献】
【特許文献】
【００１０】
【特許文献１】スイス特許出願公開第８５０号
【特許文献２】国際特許出願公開第００／０４４２４号
【特許文献３】国際特許出願公開第００／０４４２５号
【特許文献４】国際特許出願公開第０１／５９５２９号
【特許文献５】欧州特許出願公開第２２４６７５２号
【発明の概要】
【発明が解決しようとする課題】
【００１１】
本発明の目的は、上述の欠点を排除することができる調整システムを提供すること、及び従来技術において既知である調整システムを改良することである。特に、本発明は、てん輪の速度がゼロになった時点で又は実質的にその時点でぜんまいの位置エネルギを変化させることができる調整システムを提案する。
【課題を解決するための手段】
【００１２】
本発明によれば、時計ムーブメントのための調整システムは、第２のサブシステムに結合された第１のサブシステムを備え、第１のサブシステムが、
第１のてん輪及び第１のひげぜんまいを含む第１の発振器と、
衝撃の効果のもとで第１のひげぜんまいの端部又は取付部を変位させるように設計された、第１のひげぜんまいの第１の変位要素、換言すると、位置エネルギを変化させるために、第１のひげぜんまいの端部又は取付部に衝撃を与えるように設計された、第１のひげぜんまいの第１の変位要素と、
第１のてん輪の速度がゼロになった時点で又は実質的にその時点で、すなわちてん輪が最小又は最大の角度位置になった時点で又は実質的にその時点で発生する第１の変位要素の第１の作動要素と、
を含む。
【００１３】
換言すると、本発明によれば、時計ムーブメントのための調整システムは第１のサブシステムを備え、第１のサブシステムは、
第１のてん輪及び第１のひげぜんまいを含む第１の発振器と、
第１のひげぜんまいの第１の変位要素と、
第１のてん輪の速度がゼロになった時点で又は実質的にその時点での第１の変位要素の第１の作動要素と、
を含む。
【００１４】
調整システムの様々な実施形態は請求項２から１７によって規定される。
【００１５】
いくつかの好適な実施形態では、システムは第２のサブシステムを備え、第２のサブシステムは、
第２のてん輪及び第２のひげぜんまいを含む第２の発振器と、
第２のひげぜんまいの第２の変位要素と、
第２のてん輪の速度がゼロになった時点で又は実質的にその時点での第２の変位要素の第２の作動要素と、
を備える。
【００１６】
具体的には、調整システムはフレームを備えることができ、第１の閉塞てこはフレームに対して固定された軸上で枢動することができ、又はフレームに対して可動である軸上で枢動することができる。
【００１７】
第２のサブシステムは第１のサブシステムと同一とすることができ、第１の作動要素は第２の発振器と相互作用することができ、第２の作動要素は第１の発振器と相互作用することができる。
【００１８】
調整システムはフレームを備えることができ、第１のガンギ車は、例えば第１のケージ内で回転するように可動に取り付けることができ、第１のケージは、第２のてん輪の軸を中心としてフレームに対して回転するように可動である。
【００１９】
第１のガンギ車は、第１の固定遊星ホイールと係合する第１のピニオンを備える。第１のケージは第１の変位要素と係合することができる。
【００２０】
本発明による時計ムーブメントは請求項１８によって規定される。
【００２１】
本発明による時計部品は請求項１９によって規定される。
【００２２】
添付図面は、本発明による調整システムの第１の好適な実施形態のいくつかの変形を一例として図示する。
【図面の簡単な説明】
【００２３】
【図１】本発明による調整システムの好適な実施形態を備えた、本発明による時計部品の好適な実施形態の概略図である。
【図２】調整システムの第１の好適な実施形態の２つのてん輪の角度位置の時間的な進展を表すグラフである。
【図３】調整システムの第１の好適な実施形態の２つのてん輪の角度位置の時間的な進展を表すグラフである。
【図４】調整システムの第１の好適な実施形態の第１の変形の図であり、調整システムの機能を示す。
【図５】調整システムの第１の好適な実施形態の第１の変形の図であり、調整システムの機能を示す。
【図６】調整システムの第１の好適な実施形態の第１の変形の図であり、調整システムの機能を示す。
【図７】調整システムの第１の好適な実施形態の第１の変形の図であり、調整システムの機能を示す。
【図８】調整システムの第１の好適な実施形態の第１の変形の図であり、調整システムの機能を示す。
【図９】調整システムの第１の好適な実施形態の第１の変形の図であり、調整システムの機能を示す。
【図１０】調整システムの第１の好適な実施形態の第１の変形の図であり、調整システムの機能を示す。
【図１１】調整システムの第１の好適な実施形態の第１の変形の図であり、調整システムの機能を示す。
【図１２】調整システムの第１の好適な実施形態の第２の変形の図である。
【発明を実施するための形態】
【００２４】
本発明の実施形態の各々において、第１の発振器を、好ましくは第２の発振器を含む第２のサブシステムと結合することが提案されている。これらの２つの発振器は、一方及び／又は他方に適切な時点で作用させる等のために、周波数を適切に調節し、又はその周波数は適切に調節される。従って、このタイプの調整システムは、実質的に等時性の緩急針を実施することができ、その振動は位置エネルギの変動によって維持される。発振器（複数の発振器）に対する作用は、位置エネルギの変化の作用である。
【００２５】
調整システムは、位置エネルギの変動によってひげぜんまいを維持することを可能とし、従って２つの先験的逆説的条件を満足させなければならない。すなわち、ひげぜんまいの変位、特にひげぜんまいの一端、例えばひげぜんまいの内端又は外端の変位を発生させるために充分な衝撃を発生可能でなければならないこと、及び、この衝撃を、てん輪の速度がゼロとなった時点で又は実質的にその時点で、すなわちてん輪が最小又は最大の角度位置となった時点で又は実質的にその時点で発生可能でなければならないことである。また、この最小又は最大のてん輪の位置は、時計部品の位置、香箱の負荷、又は衝撃等の外部の影響に従って変動し得る。
【００２６】
振動を維持するため、ひげぜんまいの等時性の性質から利点を得る。実際、この基本的な特徴は、てん輪の振幅に関わらず、てん輪の速度がゼロになる時点が周期的に繰り返されることを示している。従って、周波数を適切に調節するか又はその周波数が適切に調節される２つの発振器を結合して、例えばこれらの発振器の一方及び／又は他方に適切な時点で作用させることを提案する。
【００２７】
従って、第１の発振器の第１のひげぜんまいを、好ましくは第２の発振器の支援によって制御することが提案される。第２の発振器は、機械的なもの又は機械的ではないものであり、第１の発振器の第１のてん輪の速度がゼロになった時点で又は実質的にその時点で、第１のひげぜんまい、特に第１のひげぜんまいの取付部、特に第１の発振器のひげぜんまいの一端の取付部を変位させるために、これに衝撃を与える。
【００２８】
本発明のいくつかの実施形態において、第２の発振器は機械的なものである。第２の発振器の第２のひげぜんまいを第１の発振器によって制御することが提案される。第１の発振器は、第２の発振器の第２のてん輪の速度がゼロになった時点で又は実質的にその時点で、第２のひげぜんまい、特に第２のひげぜんまいの取付部、特に第２の発振器のひげぜんまいの一端の取付部を変位させるために、これに衝撃を与える。
【００２９】
本発明による時計部品３、特に時計、特に腕時計の好適な実施形態について、図１を参照して以下に記載する。時計部品は、ムーブメント２、特に機械ムーブメントを備える。
【００３０】
ムーブメント２は、駆動機関ＯＭ１、本発明による調整システム１０、及び運動的連鎖Ｃ１を備える。運動的連鎖は、駆動機関ＯＭ１の機械エネルギを調整システム１０に伝達する。駆動機関は、例えば香箱を含む。
【００３１】
ムーブメントは、フレーム１３を備えることも可能である。
【００３２】
調整システム１０は、以下を含む第１のサブシステム１１を備えている。
第１のてん輪Ｂ１１及び第１のひげぜんまいＳ１１を含む第１の発振器Ｏ１１、
第１のひげぜんまいＳ１１の第１の変位要素Ｍ１１、
第１のてん輪Ｂ１１の速度がゼロになった時点で又は実質的にその時点で第１の要素Ｍ１１を変位のために作動するための第１の要素Ａ１１。
【００３３】
第１の変位要素Ｍ１１は、第１のひげぜんまい、特に第１のひげぜんまいの取付部を変位させることによって、第１のひげぜんまいＳ１１に衝撃を与えることができる。この取付部は、ひげぜんまいの一端に配置されていると好ましい。この取付部は、１つ又は複数の取付部ポイント、更に一般的には１つ又は複数の接続要素によって構成することができる。
【００３４】
調整システムは、フレーム１３を備えることも可能である。
【００３５】
調整システムの好適な実施形態において、調整システム１０は、以下を含む第２のサブシステム１２を備えることが好ましい。
第２のてん輪Ｂ１２及び第２のひげぜんまいＳ１２を含む第２の発振器Ｏ１２、
第２のひげぜんまいＳ１２の第２の変位要素Ｍ１２、
第２のてん輪Ｂ１２の速度がゼロになった時点で又は実質的にその時点で第２の要素Ｍ１２を変位のために作動するための第２の要素Ａ１２。
【００３６】
前述の記載と同様に、第２の変位要素Ｍ１２は、第２のひげぜんまい、特に第２のひげぜんまいの取付部を変位させることによって、第２のひげぜんまいＳ１２に衝撃を与えることができる。この取付部は、ひげぜんまいの一端に配置されていると好ましい。第１のひげぜんまいと同様、この取付部は、１つ又は複数の取付部ポイント、更に一般的には１つ又は複数の接続要素によって構成することができる。
【００３７】
第１の変位要素は、第１のひげぜんまいのある箇所を変位させることができる。換言すると、このために第１のひげぜんまいを変形させることができる。同様に、第２の変位要素は、第２のひげぜんまいのある箇所を変位させることができる。換言すると、このために第２のひげぜんまいを変形させることができる。
【００３８】
いくつかの実施形態において、２つの機械的発振器Ｏ１１及びＯ１２を結合することが提案される。これらの発振器の等時性の性質は、てん輪が最大速度にある時点が、てん輪の速度がゼロである時点に対して４分の１周期ずれていることを意味する。従って、理想的には同一の固有周波数又は同様の固有周波数を有し、４分の１だけ相がずれた２つのひげぜんまいを結合して、それらを適切に相互作用させることができる。調整システムの変動状態（transitory  regime）において、２つの発振器は自然に４分の１周期ずれる傾向がある。このため、第１の発振器Ｏ１１の第１のてん輪Ｂ１１が最大速度である場合、その回転方向にはかかわらず、第２のてん輪Ｂ１２の速度がゼロになった時点で又は実質的にその時点で、第２の作動要素Ａ１２及び第２のひげぜんまいＳ１２の第２の変位要素Ｍ１２を介して、第２の発振器Ｏ１２の第２のひげぜんまいＳ１２に衝撃を与えることができる。同様に、第２の発振器Ｏ１２の第２のてん輪Ｂ１２が最大速度である場合、その回転方向にはかかわらず、第１のてん輪Ｂ１１の速度がゼロになった時点で又は実質的にその時点で、第１の作動要素Ａ１１及び第１のひげぜんまいＳ１１の第１の変位要素Ｍ１１を介して、第１の発振器Ｏ１１の第１のひげぜんまいＳ１１に衝撃を与えることができる。このため、第２の発振器Ｏ１２が与える衝撃は、第１の作動要素Ａ１１及び第１の変位要素Ｍ１１の介在によって与えられることが好ましい。この目的のため、第１の作動要素Ａ１１は第２のてん輪Ｂ１２と非連続的に係合されている。この目的のため、第１の変位要素は第１の発振器Ｏ１１の第１のひげぜんまいＳ１１と係合されている。これと対称的に、第１の発振器Ｏ１１が与える衝撃は、第２の作動要素Ａ１２及び第２の変位要素Ｍ１２の介在によって与えられることが好ましい。この目的のため、第２の作動要素Ａ１２は第１のてん輪Ｂ１２と非連続的に係合されている。この目的のため、第２の変位要素は第２の発振器Ｏ１２の第２のひげぜんまいＳ１２と係合されている。
【００３９】
いくつかの実施形態において、第１の機械的発振器Ｏ１１の第１のてん輪Ｂ１及び第１のひげぜんまいＳ１１を第２の機械的発振器Ｏ１２によって制御し、同様に、第２の機械的発振器Ｏ１２の第２のてん輪Ｂ１２及び第２のひげぜんまいＳ１２を第１の機械的発振器Ｏ１１によって制御することが提案される。このため、実施形態の各々において、第１及び第２のサブシステム１１及び１２は対称的な挙動を有することが好ましい。第２のサブシステム１２は、好ましくは第１のサブシステム１１と同一であり、第１の作動要素が第２の発振器と相互作用し、第２の作動要素が第１の発振器と相互作用する。
【００４０】
いくつかの代替的な実施形態では、第１の機械的発振器Ｏ１１の第１のてん輪Ｂ１１及び第１のひげぜんまいＳ１１のみを、好ましくは第２の発振器によって制御することが提案される。第２の発振器は、機械的なもの又は機械的ではないものであり、第１のサブシステム１１の第１の要素Ｍ１１の作動要素Ａ１１に接続されている。好ましくは、第２の発振器は例えば、周波数が第１の発振器Ｏ１１よりも著しく高い時計クオーツである。第２の発振器は、第１のサブシステム１１の第１の要素Ｍ１１の作動要素Ａ１１に接続されている。あるいは、第２の発振器は、てん輪Ｂ１１の速度を相殺するために検出器又は位置センサによって置換することができる。このセンサ又は検出器は、第１のサブシステム１１の第１の要素Ｍ１１の作動要素Ａ１１に接続されている。
【００４１】
調整システムの第１の実施形態において、第１のひげぜんまいの取付部は第１の変位要素に固着され、この変位要素はフレームに接続され、フレームに対して変位可能である。換言すると、第１の変位要素は、フレームに対して少なくとも１度の移動又は変位が可能であるようにフレームに取り付けられている。従って、第１の変位要素に固着された第１のひげぜんまいの取付部を、フレームに対して変位させることができる。このため、第１のひげぜんまいの取付部はフレームに接続され、フレームに対して変位可能である。また、第１のひげぜんまいの前記取付部は、第１のてん輪に対して変位可能である。前記取付部は、第１のひげぜんまいの一端、特に外端に配置されていると好ましい。
【００４２】
第１の変位要素の変位は１方向とすることができる。あるいは、この変位は２方向とすることができる。この場合、変位は対称的であるか、又は非対称的であることができる。すなわち、１方向での振幅が他の方向での振幅と異なる。具体的には、第１の変位要素の変位は例えば、第１及び／又は第２の回転方向に従った、てん輪Ｂ１１の回転軸を中心とする回転である。ひげぜんまいＳ１１、特に、例えばひげぜんまいの一端に配置されたひげぜんまいの取付部が動く円弧（angular  arc）は、てん輪の回転方向によって異なる場合がある。衝撃が変動することで、例えば発振器Ｏ１１の１周期全体でひげぜんまいＳ１１の取付部の２つの回転方向の一方又は他方を優先させることができ、これによって発振器Ｏ１１の少なくとも１周期で第１又は第２の方向にひげぜんまいＳ１１の取付部の変位を可能とする。第１の要素Ｍ１１の変位、特に変位の距離又は角度は、特に第１の作動要素Ａ１１の衝撃ごとに変動することができる。
【００４３】
本発明による調整システムの第１の好適な実施形態において、第１のサブシステムを参照して行った記載と同様に、第２のひげぜんまいの取付部は第２の変位要素に固着され、この変位要素はフレームに接続され、フレームに対して変位可能である。換言すると、第２の変位要素は、フレームに対して少なくとも１度の移動又は変位が可能であるようにフレームに取り付けられている。従って、第２の変位要素に固着された第２のひげぜんまいの取付部を、フレームに対して変位させることができる。このため、第２のひげぜんまいの取付部はフレームに接続され、フレームに対して変位可能である。従って、第２のひげぜんまいの前記取付部は、第２のてん輪に対して変位可能である。前記取付部は、第２のひげぜんまいの一端、特に外端に配置されていると好ましい。
【００４４】
第１の変位要素の場合と同様に、第２の変位要素の変位は例えば、第１及び／又は第２の回転方向に従った、てん輪Ｂ１２の回転軸を中心とする回転である。ひげぜんまいＳ１２、特に、例えばひげぜんまいの一端に配置されたひげぜんまいの取付部が動く円弧は、てん輪の回転方向によって異なる場合がある。衝撃が変動することで、例えば発振器Ｏ１２の１周期全体でひげぜんまいＳ１２の取付部の２つの回転方向の一方又は他方を優先させることができ、これによって発振器Ｏ１１の少なくとも１周期で第１又は第２の方向にひげぜんまいＳ１２の取付部の変位を可能とする。第２の要素Ｍ１２の変位、特に変位の距離又は角度は、特に第２の作動要素Ａ１２の衝撃ごとに変動することができる。
【００４５】
一例として、図２は、本発明による調整システムの第１の好適な実施形態の具体的な機能モードを図に表しており、この場合、第１の発振器は第１のてん輪の単一の回転方向について第２の発振器に作用する。第２の発振器は第２のてん輪の単一の回転方向について第１の発振器に作用する。実線の曲線は、第１の発振器の位置の進展を示す。点線の曲線は、第２の発振器の位置の進展を示す。実線の矢印は、第２の発振器に対する第１の発振器の衝撃を示す。他の点線の矢印は、第１の発振器に対する第２の発振器の衝撃を示す。
【００４６】
図２のグラフのＹ軸は、フレーム上のひげぜんまいＳ１１、Ｓ１２の取付部に対するてん輪Ｂ１１、Ｂ１２が動く円弧を表す項θ１−φ１、θ２−φ２を示す。θ１、θ２は、時計部品のフレームの固定基準点から見た、てん輪Ｂ１１、Ｂ１２が動く円弧であり、φ１、φ２は、時計部品の固定基準点から見た、ひげぜんまいＳ１１、Ｓ１２の外端が動く円弧である。
【００４７】
従って、図１の好適な実施形態の特定の機能モードによると、てん輪Ｂ１２が最小角度位置に達した時、衝撃によって項θ２−φ２は突然に変化する。同様に、てん輪Ｂ１１が最小角度位置に達した時、衝撃によって項θ１−φ１は突然に変化する。
【００４８】
このタイプの変形の実施形態は、以下の式の実施によって特徴付けることができる。
【００４９】
【数１】
2015096852.tif 000003
【００５０】
ｉ１、ｉ２、ｃ１、ｃ２、ｋ１、ｋ２は、それぞれ、発振器Ｏ１１、Ｏ１２の各々の慣性、粘性摩擦、及び剛性である。φ１、φ２は、ひげぜんまいＳ１１、Ｓ１２の取付部の回転の増分である。デルタ関数はディラックのデルタ関数である。符号関数は、この関数に従ったｘの像が以下に等しいようになっている。
ｘ＜０のとき、−１
ｘ＝０のとき、０
ｘ＞０のとき、１
【００５１】
以下の式は、機能サイクル当たり４つの可能な衝撃を用いて、この特定の機能モードを一般化する。
【００５２】
【数２】
2015096852.tif 000004
【００５３】
ｉ１、２、ｃ１、２、ｋ１、２は、それぞれ、発振器Ｏ１１、Ｏ１２の慣性、粘性摩擦、及び剛性である。φ１＋、φ１−、φ２＋、φ２−は、フレーム上のひげぜんまいＳ１１、Ｓ１２の取付部の回転の増分であり、増分の符号はてん輪Ｂ１１、Ｂ１２の最小又は最大の角度位置を示す。デルタ関数はディラックのデルタ関数である。符号関数は、この関数に従ったｘの像が以下に等しいようになっている。
ｘ＜０のとき、−１
ｘ＝０のとき、０
ｘ＞０のとき、１
【００５４】
このタイプの式は、例えば図３によってまとめることができる。図は、２つの振動周期において、２つの曲線によってそれぞれ示される発振器Ｏ１１、Ｏ１２の機能シーケンスを表す。実線の曲線は第１の発振器Ｏ１１の位置の進展を示す。点線の曲線は第２の発振器Ｏ１２の位置の進展を示す。実線の矢印は、第１の発振器のゼロへの遷移の検出及び第２の発振器上の衝撃を示す。他の点線の矢印は、その逆を示す。図３のグラフのＹ軸は、ひげぜんまいＳ１１、Ｓ１２の取付部に対するてん輪Ｂ１１、Ｂ１２が動く円弧を表す項θ１−φ１、θ２−φ２を示す。θ１、θ２は、時計部品のフレームの固定基準点から見た、てん輪Ｂ１１、Ｂ１２が動く円弧であり、φ１、φ２は、時計部品の固定基準点から見た、ひげぜんまいＳ１１、Ｓ１２の外端が動く円弧である。
【００５５】
有利な点として、第１及び第２の発振器には、同一の駆動機関ＯＭ１及び同一の運動的連鎖Ｃ１によってエネルギが与えられる。あるいは、２つの運動的連鎖を設けて、単一の駆動機関からのエネルギをこれらの発振器に与えることができる。好ましくは、第１及び第２の発振器に平等な供給を行う等のために、例えば差動歯車又は遊星歯車のようなエネルギ分配デバイスを運動的連鎖に設ける。あるいは、２つの駆動機関を設けて、第１及び第２の発振器の各々に供給を行うことができる。駆動機関は、例えば１つ又は複数の香箱を意味する。
【００５６】
以下に、図４から図１１を参照して、好適な実施形態の第１の変形について説明する。この変形において、前述した要素には、参照番号の冒頭又は英数字符号の数字の冒頭に「１」を付す。この変形では、時計部品１３、特に時計、具体的には腕時計は、ムーブメント１２、具体的には機械ムーブメントを備える。このムーブメント自体が調整システム１１０を備える。
【００５７】
調整システム１１０は以下の具体的な特徴を有する。
【００５８】
第１の変位要素Ｍ１１１は、第１のてん輪Ｂ１１１の回転軸の周りで連結された第１のレバーを備える。第２の変位要素Ｍ１１２は、第２のてん輪Ｂ１１２の回転軸の周りで連結された第２のレバーを備える。第１の変位要素は第１のひげぜんまいのひげ持ちホルダを備える。同様に、第２の変位要素は第２のひげぜんまいのひげ持ちホルダを備える。
【００５９】
第１の変位要素の第１の作動要素Ａ１１１は、第１の変位要素の第１の駆動要素Ｅ１１１及び第１の駆動要素の第１のトリガ要素Ｄ１１１を備える。第２の変位要素の第２の作動要素Ａ１１２は、第２の変位要素の第２の駆動要素Ｅ１１２及び第２の駆動要素の第２のトリガ要素Ｄ１１２を備える。
【００６０】
変位要素の第１及び第２の作動要素は、てん輪の一方の速度がゼロになった時点で又は実質的にその時点で変位要素を作動するように設計されている。この条件は、てん輪が終端位置にある場合に満足される。しかしながら、てん輪の終端位置は多くの基準に従って生じる。以下で述べる作動要素を実施することによって、２つの発振器を４分の１周期だけずらすことができる。
【００６１】
２つの発振器は、厳密に同一の固有周波数を有する必要はないことに留意すべきである。この場合、結果として、調整システムの固有周波数値は、２つの発振器の２つの固有周波数値の間に含まれる。調整システムの変動状況において、２つの発振器は異なる機能周波数を有することができ、２つのてん輪の振動は４分の１周期異なる値だけずれることができる。しかしながら、これらの周波数は自然に等しくなる傾向があり、振動は、永久状態（permanent  regime）に到達するために４分の１周期だけずれる傾向がある。
【００６２】
第１の駆動要素Ｅ１１１は、第１のレバーＬ１１１及び第１のカムＣＡ１１１を備える。第１のレバーＬ１１１は、運動的連鎖Ｃ１１を介して駆動機関によって回転する第１のカムＣＡ１１１と共働する。第２の駆動要素Ｅ１１２は、第２のレバーＬ１１２及び第２のカムＣＡ１１２を備える。第２のレバーＬ１１２は、運動的連鎖を介して駆動機関によって回転する第２のカムＣＡ１１２と共働する。
【００６３】
第１のレバーＬ１１１は、例えばばね等の第１の弾性要素Ｒ１１１によって押されて第１のカムと接触する第１の従動子Ｌ１２１を備える。相補的に、第１のレバーＬ１１１は、障害物として第１の変位要素Ｍ１１１と共働する第１の障害要素ＧＬ１１１を備える。例えば、第１の障害要素ＧＬ１１１は、第１の変位要素Ｍ１１１上に設けられた第１のフォークと共働する第１のピンである。他のいずれかの係合手段も適切であり得る。第１のレバーは、フレーム１１３上で軸１３１の位置で枢動する。第１のレバーは、例えばその端部の一方に第１の従動子を備え、その端部の他方に第１の障害要素ＧＬ１１１を備える。
【００６４】
第２のレバーＬ１１２は、例えばばね等の第２の弾性要素Ｒ１１２によって押されて第２のカムと接触する第２の従動子Ｌ１２２を備える。相補的に、第２のレバーＬ１１２は、障害物として第２の変位要素Ｍ１１２と共働する第２の障害要素ＧＬ１１２を備える。例えば、第２の障害要素ＧＬ１１２は、第２の変位要素Ｍ１１２上に設けられた第２のフォークと共働する第２のピンである。他のいずれかの係合手段も適切であり得る。第２のレバーは、フレーム１１３上で軸１３２の位置で枢動する。第２のレバーは、例えばその端部の一方に第２の従動子を備え、その端部の他方に第２の障害要素ＧＬ１１２を備える。
【００６５】
第１及び／又は第２の弾性要素は、前述のようにばねとすることができる。あるいは、これをレバー（複数のレバー）と一体にして、例えば可撓性回転ガイドを画定し、これによって双安定レバーを実施することができる。
【００６６】
第１のトリガ要素Ｅ１１１は、第１のカムＣＡ１１１と一体である第１のガンギ車ＲＢ１１１の第１の閉塞てこＢＬ１１１を備える。第１のガンギ車ＲＢ１１１及び第１のカムＣＡ１１１は、例えば共通の軸上に相互に固着させて取り付けられている。第２のトリガ要素Ｅ１１２は、第２のカムＣＡ１１２と一体である第２のブロックホイールＲＢ１１２の第２の閉塞てこＢＬ１１２を備える。第２のブロックホイールＲＢ１１２及び第２のカムＣＡ１１２は、例えば共通の軸上に相互に固着させて取り付けられている。
【００６７】
第１の閉塞てこＢＬ１１１は、第２のてん輪、具体的には第２のてん輪の第２のプレート上に設けられた第１のピンと共働する第３のフォークを備える。第１の閉塞てこは２つの安定位置を有し、その各々において、停止アンクルが、第１のガンギ車ＲＢ１１１の歯の１つに対して障害物として作用することによって、その回転を阻止する。第２の閉塞てこＢＬ１１２は、第１のてん輪、具体的には第１のてん輪の第１のプレート上に設けられた第２のピンと共働する第４のフォークを備える。第２の閉塞てこは２つの安定位置を有し、その各々において、停止アンクルが、第２のブロックホイールＲＢ１１２の歯の１つに対して障害物として作用することによって、その回転を阻止する。
【００６８】
第１の閉塞てこは、フレームに対して固定された軸１４１上で枢動する。同様に、第２の閉塞てこは、フレームに対して固定された軸１４２上で枢動する。第１及び第２の閉塞てこは、スイスアンクルの全体的な幾何学的形状を有することができ、又はそれらは、ロビンタイプの脱進機閉塞てこの全体的な幾何学的形状もしくは他のいずれかの適切な幾何学的形状を有することができる。しかしながら、ブロックホイールの歯の上でも閉塞てこのアンクルの上でも衝撃面が与えられないという点で、閉塞てこは脱進機アンクルでも脱進機閉塞てこでもないことに留意すべきである。このため、調整システムが機能している場合、閉塞てこ及びブロックホイールの共働は、ブロックホイールから閉塞てこにエネルギを伝達することなく又は実質的に伝達することなく行われる。しかしながら、調整システムの変動状態においてブロックホイールが閉塞てこにエネルギを伝達するように、閉塞てこ及びブロックホイールを形成することも可能である。
【００６９】
以下で、図３から図１１を参照して、図４に示す調整システムの第１の好適な実施形態の第１の変形の機能について記載する。
【００７０】
サブシステムの各変位要素は、作動要素及び運動的連鎖によって作動される。この作動は、他方のサブシステムのてん輪の位置によって支配される。実際、他方のてん輪のプレートピンを介して、閉塞てこを第１の安定位置から第２の安定位置に変位することができる。この閉塞てこの位置の変化によって、ブロックホイールを特定の角度だけ回転させることができ、この結果、作動要素を介して、変位要素上に存在するひげぜんまいのひげ持ちホルダの変位を可能とする。
【００７１】
このため、調整システムは、双方の回転方向に可動である閉塞てこＢＬ１１１、ＢＬ１１２を実現すると共に、双方の回転方向に可動であるひげぜんまいのひげ持ちを実現する。第１の発振器Ｏ１１１の第１のてん輪Ｂ１１１は、回転方向に関係なく、第２の発振器Ｏ１１２の第２のひげぜんまいＳ１１２に作用し、更に正確には作用を支配する。同様に、第２の発振器Ｏ１１２の第２のてん輪Ｂ１１２は、回転方向に関係なく、第１の発振器Ｏ１１１の第１のひげぜんまいＳ１１１に作用する。
【００７２】
図３に示す時点０１において、第１のてん輪Ｂ１１１は、逆三角方向（anti-trigonometric  direction）に（図４に示すように）最大速度で変位する。第１のてん輪Ｂ１１１の第１のプレートピンＣ１１１は、第２の閉塞てこＢＬ１１２のフォークと接触し、第１のてん輪Ｂ１１１の変位によって、第２の閉塞てこＢＬ１１２と共働する第２のブロックホイールＲＢ１１２を回転可能とするようになっている。第２のカムＣＡ１１２は、２成分（binary）プロファイルを有する。第２のブロックホイールＲＢ１１２と共に回転するように一体に搭載された第２のカムＣＡ１１２は、レバーＬ１１２及び関連する戻りばねＲ１１２を介して、第２のひげぜんまいのひげ持ちホルダの位置を制御することができる。
【００７３】
図４に示す構成では、第２のひげぜんまいのひげ持ちホルダを支持する第２の変位要素Ｍ１１２に、衝撃が供給されるプロセスの途中である。これは、駆動機関から得られたエネルギが、運動的連鎖を介して第２のブロックホイールＲＢ１１２及び第２のカムＣＡ１１２に到達することで実行される。実際、第２のカムＣＡ１１２が回転すると、第２のカム従動子Ｌ１２２に対する機械的作用が生じ、第２のレバーＬ１１２が逆三角方向に枢動する。ピンＧＬ１１２が第２の変位要素Ｍ１１２に作用するので、第２の変位要素が三角方向に変位する。第２のひげぜんまいＳ１１２は、最大限に巻かれた構成になっている。第２のてん輪Ｂ１１２の回転軸を中心として、第２のひげぜんまいのひげ持ちホルダＭ１１２が三角方向に回転して変位すると、第２のひげぜんまいＳ１１２が更に追加の円弧だけ巻かれる。約４Ｈｚの周波数の発振器では、プレートピンＣ１１１と第２の閉塞てこＢＬ１１２のフォークとの相互作用時間が約１０ｍｓであるので、この衝撃は瞬間的であると考えることができる。
【００７４】
図５は、第１のピンＣ１１１が第２の閉塞てこＢＬ１１２のフォークから解放された時点の調整システムを示す。この時点は、てん輪Ｂ１１２の回転方向が逆になる最小角度位置にてん輪Ｂ１１２が到達した時点と実質的に一致する。第２の閉塞てこＢＬ１１２、第２のブロックホイールＲＢ１１２、第２のカムＣＡ１１２、第２のレバーＬ１１２、及び第２の変位要素Ｍ１１２の各位置は安定している。このため、第２のひげぜんまいＳ１１２の外端の位置は、第２のてん輪Ｂ１１２の方向転換（alternation）のために完全に規定されている。
【００７５】
図３に示す時点０２において、第２のてん輪Ｂ１１２は、三角方向に（図６に示すように）最大速度で変位する。第２のてん輪Ｂ１１２の第２のプレートピンＣ１１２は、第１の閉塞てこＢＬ１１１のフォークと接触し、第２のてん輪Ｂ１１２の変位によって、第１の閉塞てこＢＬ１１１と共働する第１のガンギ車ＲＢ１１１を回転可能とするようになっている。第１のカムＣＡ１１１は、２成分プロファイルを有する。第１のガンギ車ＲＢ１１１と共に回転するように一体に搭載された第１のカムＣＡ１１１は、第１のレバーＬ１１１及び関連する戻りばねＲ１１１を介して、第１のひげぜんまいのひげ持ちホルダの位置を制御することができる。
【００７６】
図６に示す構成では、第１のひげぜんまいのひげ持ちホルダを支持する第１の変位要素Ｍ１１１に、衝撃が供給されるプロセスの途中である。これは、駆動機関から得られたエネルギが、運動的連鎖を介して第１のガンギ車ＲＢ１１１及び第１のカムＣＡ１１１のレベルに到達することで実行される。実際、第１のカムＣＡ１１１が回転すると、第１のカム従動子Ｌ１２１に対する機械的作用が生じ、第１のレバーＬ１１１が三角方向に枢動する。ピンＧＬ１１１が第１の変位要素Ｍ１１１に作用するので、第１の変位要素が逆三角方向に変位する。第１のひげぜんまいＳ１１１は、最大限に巻かれた構成になっている。第１のてん輪Ｂ１１１の回転軸を中心として、第１のひげぜんまいのひげ持ちホルダＭ１１１が三角方向に回転して変位すると、第１のひげぜんまいＳ１１１が更に追加の円弧だけ巻かれる。約４Ｈｚの周波数の発振器では、プレートピンＣ１１２と第１の閉塞てこＢＬ１１１のフォークとの相互作用時間が約１０ｍｓであるので、この衝撃は瞬間的であると考えることができる。
【００７７】
図７は、第２のピンＣ１１２が第１の閉塞てこＢＬ１１１のフォークから解放された時点の調整システムを示す。この時点は、てん輪Ｂ１１１の回転方向が逆になる最小角度位置にてん輪Ｂ１１１が到達した時点と実質的に一致する。第１の閉塞てこＢＬ１１１、第１のガンギ車ＲＢ１１、第１のカムＣＡ１１１、第１のレバーＬ１１１、及び第１の変位要素Ｍ１１１の各位置は安定している。このため、第１のひげぜんまいＳ１１１の外端の位置は、第１のてん輪Ｂ１１１の方向転換のために完全に規定されている。
【００７８】
図３に示す時点０３において、第１のてん輪Ｂ１１１は、三角方向に（図８に示すように）最大速度で変位する。第１のてん輪Ｂ１１１の第１のプレートピンＣ１１１は、第２の閉塞てこＢＬ１１２のフォークと接触し、第１のてん輪Ｂ１１１の変位によって、第２の閉塞てこＢＬ１１２と共働する第２のブロックホイールＲＢ１１２を回転可能とするようになっている。第２のブロックホイールＲＢ１１２と共に回転するように一体に搭載された第２のカムＣＡ１１２は、レバーＬ１１２及び関連する戻りばねＲ１１２を介して、第２のひげぜんまいのひげ持ちホルダの位置を制御することができる。
【００７９】
図８に示す構成では、第２のひげぜんまいのひげ持ちホルダを支持する第２の変位要素Ｍ１１２に、衝撃が供給されるプロセスの途中である。これは、ばねＲ１１２から得られたエネルギによって実行される。実際、そのプロファイルのために、第２のカムＣＡ１１２が回転すると、第２のカム従動子Ｌ１２２が変位し、第２のレバーＬ１１２が三角方向に枢動する。この変位は、ばねＲ１１２の作用のもとで行われる。ピンＧＬ１１２が第２の変位要素Ｍ１１２に作用するので、第２の変位要素は逆三角方向に変位する。第２のひげぜんまいＳ１１２は、最大限に伸長された構成になっている。第２のてん輪Ｂ１１２の回転軸を中心として、第２のひげぜんまいのひげ持ちホルダＭ１１２が逆三角方向に回転して変位すると、第２のひげぜんまいＳ１１２が更に追加の円弧だけ伸長される。約４Ｈｚの周波数の発振器では、プレートピンＣ１１１と第２の閉塞てこＢＬ１１２との相互作用時間が約１０ｍｓであるので、この衝撃は瞬間的であると考えることができる。
【００８０】
図９は、第１のピンＣ１１１が第２の閉塞てこＢＬ１１２のフォークから解放された時点の調整システムを示す。この時点は、てん輪Ｂ１１２の回転方向が逆になる最大角度位置にてん輪Ｂ１１２が到達した時点と実質的に一致する。第２の閉塞てこＢＬ１１２、第２のブロックホイールＲＢ１１２、第２のカムＣＡ１１２、第２のレバーＬ１１２、及び第２の変位要素Ｍ１１２の各位置は安定している。このため、第２のひげぜんまいＳ１１２の外端の位置は、第２のてん輪Ｂ１１２の方向転換のために完全に規定されている。
【００８１】
図３に示す時点０４において、第２のてん輪Ｂ１１２は、逆三角方向に（図１０に示すように）最大速度で変位する。第２のてん輪Ｂ１１２の第２のプレートピンＣ１１２は、第１の閉塞てこＢＬ１１１のフォークと接触し、第２のてん輪Ｂ１１２の変位によって、第１の閉塞てこＢＬ１１１と共働する第１のガンギ車ＲＢ１１１の回転を可能とするようになっている。第１のガンギ車ＲＢ１１１と共に回転するように一体に搭載された第１のカムＣＡ１１１は、第１のレバーＬ１１１及び関連する戻りばねＲ１１１を介して、第１のひげぜんまいのひげ持ちホルダの位置を制御することができる。
【００８２】
図１０に示す構成では、第１のひげぜんまいのひげ持ちホルダを支持する第１の変位要素Ｍ１１１に、衝撃が供給されるプロセスの途中である。これは、ばねＲ１１１から得られたエネルギによって実行される。実際、そのプロファイルのために、第１のカムＣＡ１１１が回転すると、第１のカム従動子Ｌ１２１が変位し、第１のレバーＬ１１１が三角方向に枢動する。この変位は、ばねＲ１１１の作用のもとで行われる。ピンＧＬ１１１が第１の変位要素Ｍ１１１に作用するので、第１の変位要素が逆三角方向に変位する。第１のひげぜんまいＳ１１１は、最大限に伸長された構成になっている。第１のてん輪Ｂ１１１の回転軸を中心として、第１のひげぜんまいのひげ持ちホルダＭ１１１が逆三角方向に回転して変位すると、第１のひげぜんまいＳ１１１が更に追加の円弧だけ伸長される。約４Ｈｚの周波数の発振器では、プレートピンＣ１１２と第１の閉塞てこＢＬ１１１のフォークとの相互作用時間が約１０ｍｓであるので、この衝撃は瞬間的であると考えることができる。
【００８３】
図１１は、第２のピンＣ１１２が第１の閉塞てこＢＬ１１１のフォークから解放された時点の調整システムを示す。この時点は、てん輪Ｂ１１１の回転方向が逆になる最大角度位置にてん輪Ｂ１１１が到達した時点と実質的に一致する。第１の閉塞てこＢＬ１１１、第１のガンギ車ＲＢ１１１、第１のカムＣＡ１１１、第１のレバーＬ１１１、及び第１の変位要素Ｍ１１１の各位置は安定している。このため、第１のひげぜんまいＳ１１１の外端の位置は、第１のてん輪Ｂ１１１の方向転換のために完全に規定されている。
【００８４】
ひげぜんまいのひげ持ちホルダＭ１１１、Ｍ１１２の各々の角度振幅は、１度から１５度、具体的には５度から１０度、例えば約７度とすることができる。
【００８５】
以下に、図１２を参照して、第１の好適な実施形態の第２の変形について説明する。この第２の変形において、第１の変形の要素と同一であるか又は同一の機能を有する要素には、参照番号の冒頭又は英数字符号の数字の冒頭に「１」でなく「２」を付す。この変形では、時計部品２３、特に時計、具体的には腕時計は、ムーブメント２２、具体的には機械ムーブメントを備える。このムーブメント自体が調整システム２１０を備える。
【００８６】
調整システム２１０は、第１のサブシステム２１１を備える。この第１のサブシステムは、第１の発振器Ｏ２１１と、第１のひげぜんまいＳ２１１の第１の変位要素Ｍ２１１と、第１のてん輪Ｂ２１１の速度がゼロになった時点で又は実質的にその時点で第１の変位要素を作動するための第１の要素Ａ２１１と、を備える。第１の発振器Ｏ２１１は、第１のてん輪Ｂ２１１及び第１のひげぜんまいＳ２１１を含む。
【００８７】
調整システム２１０は、第２のサブシステム２１２を備える。この第２のサブシステムは、第２の発振器Ｏ２１２と、第２のひげぜんまいＳ２１２の第２の変位要素Ｍ２１２と、第２のてん輪Ｂ２１２の速度がゼロになった時点で又は実質的にその時点で第２の変位要素を作動するための第２の要素Ａ２１２と、を備える。第２の発振器Ｏ２１２は、第２のてん輪Ｂ２１２及び第２のひげぜんまいＳ２１２を含む。
【００８８】
調整システム１１０と比較すると、調整システム２１０は以下の具体的な特徴を有する。
【００８９】
調整システム２１０において、第１のガンギ車ＲＢ２１１は、例えば第１のケージＣＡ２１１内で回転するように可動に取り付けられている。第１のケージは、第２のてん輪Ｂ２１２の軸を中心としてフレーム２１３に対して回転するように可動である。同様に、第２のブロックホイールＲＢ２１２は、例えば第２のケージＣＡ２１２内で回転するように可動に取り付けられている。第２のケージは、第１のてん輪Ｂ２１１の軸を中心としてフレーム２１３に対して回転するように可動である。
【００９０】
第１のガンギ車ＲＢ２１１は、フレームに対して固定された第１の遊星ホイールＲＰ２１１と係合する第１のピニオンＰ２１１を備えている。第１の遊星ホイールＲＰ２１１は、第２のてん輪Ｂ２１２の軸に中心がある。これと同時に、第２のブロックホイールＲＢ２１２は、フレームに対して固定された第２の遊星ホイールＲＰ２１２と係合する第２のピニオンＰ２１２を備える。第２の遊星ホイールＲＰ２１２は、第１のてん輪Ｂ２１１の軸に中心がある。
【００９１】
第１のケージＣＡ２１１は、第１の変位要素Ｍ２１１と係合する。第１の変位要素は、第１のホイールとするか又は第１のホイールを含むことができる。第１の変位要素は、第１のてん輪ホイールの軸上で枢動することができる。同様に、第２のケージＣＡ２１２は、第２の変位要素Ｍ２１２と係合する。第２の変位要素は、第２のホイールとするか又は第２のホイールを含むことができる。第２の変位要素は、第２のてん輪ホイールの軸上で枢動することができる。
【００９２】
第１の変形においてと同様に、第１及び第２の閉塞てこは、スイスアンクルの全体的な幾何学的形状を有することができ、又はそれらは、ロビンタイプの脱進機閉塞てこの全体的な幾何学的形状もしくは他のいずれかの適切な幾何学的形状を有することができる。しかしながら、第１の変形においてと同様に、閉塞てこは脱進機アンクルでも脱進機閉塞てこでもないことに留意すべきである。それにもかかわらず、調整システムの変動状態においてブロックホイールが閉塞てこにエネルギを伝達するように、閉塞てこ及びブロックホイールを形成することも可能である。
【００９３】
この第２の変形において、第１の閉塞てこは、フレームに対して可動である軸上で枢動する。同様に、第２の閉塞てこは、フレームに対して可動である軸上で枢動する。
【００９４】
この場合、第１の変位要素Ｍ２１１の作動は、第１のケージＣＡ２１１によって直接に又は間接的に行われ、第１のケージＣＡ２１１の回転は、第２のてん輪Ｂ２１２のプレートピンの影響下で第１のガンギ車ＲＢ２１１によって制御される。同様に、この場合、第２の変位要素Ｍ２１２の作動は、第２のケージＣＡ２１２によって直接に又は間接的に行われ、第２のケージＣＡ２１２の回転は、第１のてん輪Ｂ２１１のプレートピンの影響下で第２のブロックホイールＲＢ２１２によって制御される。このため、ひげぜんまいのひげ持ちホルダの各々の回転は一方向である。従って、機械的衝撃が変動することで、例えば発振器の１周期全体でひげぜんまいの外端の２つの回転方向の一方又は他方を優先させることができ、これによって発振器の機能サイクル全体で第１又は第２の方向にひげぜんまいの外端の変位を可能とする。この目的のため、閉塞てこは非対称的な挙動を有しなければならない。このため、第１の実施形態において、閉塞てこの変位の振幅は、変位の方向に応じて可変とすることができる。
【００９５】
本発明による調整システムの第２の実施形態においては、第１の実施形態の第１の変位要素を、好ましくは第２の発振器によって制御することが提案される。この目的のため、作動要素を第２の発振器に接続するか又は関連付ける。好ましくは、第２の発振器は例えば時計クオーツであり、その周波数は第１の機械的発振器よりも著しく高い。作動要素はトリガ要素及び駆動要素を備える。更に具体的には、第２の発振器をトリガ要素に接続する。トリガ要素は分周器を備える。分周器から取得される信号は、第１の発振器と実質的に同じ周波数を有する。また、この信号の周波数は、第１の発振器の周波数の倍数又は除数とすることができる。この信号は駆動要素を制御する。この駆動要素は電磁アクチュエータを備えることができる。この第２の実施形態では、駆動要素は、第１の変位要素と機械的に接続されている。従って、フレームに対して、第１の変位要素に固着された第１のひげぜんまいの取付部を変位させることができる。このため、第１のひげぜんまいの取付部はフレームに接続され、フレームに対して変位可能である。また、第１のひげぜんまいの前記取付部は、第１のてん輪に対して変位可能である。前記取付部は、第１のひげぜんまいの一端、具体的には外端に配置されていると好ましい。あるいは、発振器の周波数は発振器の周波数よりも低くすることができ、トリガ要素は周波数逓倍器を備えることができる。あるいは、第２の発振器は、てん輪の速度を相殺するために検出器又は位置センサによって置換することができる。このセンサ又は検出器は、第１のサブシステムの第１の要素の作動要素に接続される。従って、第１のてん輪の速度がゼロになった時点で又は実質的にその時点で、第１の要素Ｍ１１が作動する。
【００９６】
本発明による調整システムの第３の実施形態においては、第１のひげぜんまいの取付部は第１の変位要素に固着され、第１の変位要素は第１のてん輪に接続され、第１のてん輪に対して変位可能であるか又は変位可能でない。第１の実施形態の場合と同様に、第１の変位要素の変位は１方向とすることができる。あるいは、この変位は２方向とすることができる。この場合、変位は対称的であるか、又は非対称的であることができる。すなわち、１方向での振幅が他の方向での振幅と異なる。具体的には、第１の変位要素の変位は例えば、第１及び／又は第２の回転方向に従った、てん輪の回転軸を中心とする回転である。ひげぜんまい、特に、例えばひげぜんまいの一端に配置されたひげぜんまいの取付部が動く円弧は、てん輪の回転方向に従って異なる場合がある。衝撃が変動することで、例えば発振器の１周期全体でひげぜんまいの取付部の２つの回転方向の一方又は他方を優先させることができ、これによって発振器の少なくとも１周期で第１又は第２の方向にひげぜんまいの取付部の変位を可能とする。第１の要素の変位、特に変位の距離又は角度は、特に第１の作動要素Ａ１１の衝撃ごとに変動することができる。
【００９７】
本発明による調整システムの第４の実施形態においては、第２のひげぜんまいの取付部は第２の変位要素に固着され、第２の変位要素は第２のてん輪に接続され、第２のてん輪に対して変位可能であるか又は変位可能でない。第１の実施形態の場合と同様に、第２の変位要素の変位は変動することができる。
【００９８】
第３の実施形態の第１の変形においては、第１のひげぜんまいの取付部は、第１のてん輪上、例えば第１のてん輪の外縁上に固着された第１の変位要素に固着されている。このため、第１のひげぜんまいの取付部は第１のてん輪上に固着されている。従って、断続的に第１の変位要素を作動する第１の作動要素によって、第１の変位要素上に固着された第１のひげぜんまいの取付部を、フレームに対してのみ変位させることができる。好ましくは、前記取付部は、第１のひげぜんまいの一端、具体的には内端に配置されている。この変形では、衝撃は第１のてん輪に与えられる。
【００９９】
第４の実施形態の第１の変形においては、第１のサブシステムについて前述の記載と同様に、第２のひげぜんまいの取付部は、第２のてん輪上、例えば第２のてん輪の外縁上に固着された第２の変位要素に固着されている。このため、第２のひげぜんまいの取付部は第２のてん輪上に固着されている。従って、断続的に第２の変位要素を作動する第２の作動要素によって、第２の変位要素上に固着された第２のひげぜんまいの取付部を、フレームに対してのみ変位させることができる。好ましくは、前記取付部は、第２のひげぜんまいの一端、具体的には内端に配置されている。この変形では、衝撃は第２のてん輪に与えられる。
【０１００】
第３の実施形態の第２の変形においては、第１のひげぜんまいの取付部は、第１のてん輪に接続されて第１のてん輪に対して変位可能である第１の変位要素に固着されている。換言すると、第１の変位要素は、第１のてん輪に対して少なくとも１度の移動又は変位が可能であるように第１のてん輪に取り付けられている。例えば第１の変位要素は、第１のてん輪に対して可動である第１のてん輪のひげ玉によって実施可能である。従って、第１の変位要素に固着された第１のひげぜんまいの取付部を、第１のてん輪及びフレームに対して、第１の作動要素によって変位させることができる。第１の作動要素は、例えば差動歯車又は遊星歯車列を備える少なくとも１つの運動的連鎖によって、断続的に第１の変位要素を作動する。
【０１０１】
第４の実施形態の第２の変形においては、第１のサブシステムについて前述の記載と同様に、第２のひげぜんまいの取付部は、第２のてん輪に接続されて第２のてん輪に対して変位可能である第２の変位要素に固着されている。換言すると、第２の変位要素は、第２のてん輪に対して少なくとも１度の移動又は変位が可能であるように第２のてん輪に取り付けられている。例えば第２の変位要素は、第２のてん輪に対して可動である第２のてん輪のひげ玉によって実施可能である。従って、第２の変位要素に固着された第２のひげぜんまいの取付部を、第２のてん輪及びフレームに対して、第２の作動要素によって変位させることができる。第２の作動要素は、例えば差動歯車又は遊星歯車列を備える少なくとも１つの運動的連鎖によって、断続的に第２の変位要素を作動する。
【０１０２】
本発明による調整システムの第５の実施形態においては、第３の実施形態の第１の変位要素のみを、好ましくは本発明による調整システムの第２の実施形態に記載したもの等の第２の発振器によって制御することが提案される。
【０１０３】
本発明による調整システムの第６の実施形態においては、第１の変位要素は、フレーム及び第１のてん輪にそれぞれ接続された少なくとも第１及び第２の取付部に対して第１のひげぜんまいを変位させることができる。この場合、第１の変位要素が断続的に作用するのは、ひげぜんまい、具体的にはひげぜんまいの１つ又は複数のストリップ、又は例えばひげぜんまいのストリップ間の結合を形成する１つ又は複数の剛性部分である。換言すると、第１の変位要素は、第１のひげぜんまいに衝撃を与える場合にのみ第１のひげぜんまいと相互作用する。この相互作用は、接触によって又は接触によってではなく、例えば機械的衝撃又は磁気的衝撃又は静電的衝撃を与えることによって、行うことができる。
【０１０４】
本発明による調整システムの第７の実施形態においては、第２の変位要素は、フレーム及び第２のてん輪にそれぞれ接続された少なくとも第１及び第２の取付部に対して第２のひげぜんまいを変位させることができる。この場合、第２の変位要素が断続的に作用するのは、ひげぜんまい、具体的にはひげぜんまいの１つ又は複数のストリップである。換言すると、第２の変位要素は、第２のひげぜんまいに衝撃を与える場合にのみ第２のひげぜんまいと相互作用する。この相互作用は、接触によって又は接触によってではなく、例えば機械衝撃又は磁気衝撃又は静電衝撃を与えることによって、行うことができる。
【０１０５】
本発明による調整システムの第８の実施形態においては、第６の実施形態の第１の変位要素のみを、好ましくは本発明による調整システムの第２の実施形態に記載したもの等の第２の発振器によって制御することが提案される。
【０１０６】
様々な実施形態において、変位要素は、衝撃、具体的には機械的な変位衝撃を与えることができる。第８の実施形態では、変位衝撃は例えば機械的、磁気的、又は静電的なものとすることができる。
【０１０７】
好ましくは、実施形態の各々において、第１の変位要素によって又はこの要素によってではなく、第１のひげぜんまいをてん輪に接続する第１のひげぜんまいの取付部は、第１のひげぜんまいの内端に位置しており、第１の変位要素によって又はこの要素によってではなく、第１のひげぜんまいをフレームに接続する第１のひげぜんまいの取付部は、第１のひげぜんまいの外端に位置している。あるいは、第１の変位要素によって又はこの要素によってではなく、第１のひげぜんまいをてん輪に接続する第１のひげぜんまいの取付部は、第１のひげぜんまいの外端に位置することができ、第１の変位要素によって又はこの要素によってではなく、第１のひげぜんまいをフレームに接続する第１のひげぜんまいの取付部は、第１のひげぜんまいの内端に位置することができる。同様に、実施形態の各々において、第２の変位要素によって又はこの要素によってではなく、第２のひげぜんまいをてん輪に接続する第２のひげぜんまいの取付部は、好ましくは第２のひげぜんまいの内端に位置しており、第２の変位要素によって又はこの要素によってではなく、第２のひげぜんまいをフレームに接続する第２のひげぜんまいの取付部は、好ましくは第２のひげぜんまいの外端に位置している。あるいは、第２の変位要素によって又はこの要素によってではなく、第２のひげぜんまいをてん輪に接続する第２のひげぜんまいの取付部は、第２のひげぜんまいの外端に位置することができ、第２の変位要素によって又はこの要素によってではなく、第２のひげぜんまいをフレームに接続する第２のひげぜんまいの取付部は、好ましくは第２のひげぜんまいの内端に位置することができる。
【０１０８】
第１、第３、第４、第６、及び第７の実施形態において、第１及び第２のサブシステムは、対称的な構造及び／又は対称的な挙動を有すると好ましい。第２のサブシステムは、第１のサブシステムと同一又は同様とすると好ましい。しかしながら、第２のサブシステムは第１のサブシステムと異なることがあり、その場合、好適な実施形態の第１の変形の第１のサブシステムは、好適な実施形態の第２の変形の第２のサブシステムと共働することができる。
【０１０９】
様々な実施形態において、調整システムは２つの発振器を備えることが好ましい。しかしながら、３つ以上の発振器、具体的には３つの発振器、具体的には４つの発振器を備えることも可能である。有利な点として、第１及び第２の発振器と実質的に同じ周波数であるか又は同じ周波数でない少なくとも第３の発振器は、第１及び第２の発振器の各々の位相を制御及び／又は同期させることができる。
【０１１０】
様々な実施形態及び変形において、取付部は、１つ又は複数の付着点を備えることができる。
【０１１１】
様々な実施形態及び変形において、第１の要素Ｍ１１、Ｍ１１１、Ｍ２１１の変位、特に変位の距離又は角度が機能中に変動するようにシステムを設計することができ、及び／又は、第２の要素Ｍ１２、Ｍ１１２、Ｍ２１２の変位、特に変位の距離又は角度が機能中に変動するようにシステムを設計することができる。
【０１１２】
技術的又は論理的な不一致の場合を除いて、様々な実施形態及び変形を相互に組み合わせることができる。
【０１１３】
上述の調整システムとは異なり、従来技術の特許文献２及び特許文献３に従った文書から既知のもの等の構造では、発振器のてん輪がゼロ速度になった時点で発振器のひげぜんまいに作用を及ぼすことができない。また、ひげぜんまいの最小又は最大の振幅を検出するための手段は開示されていない。
【０１１４】
また、本発明は、時計ムーブメント２、１２、２２を調整するためのシステム１０、１１０、２１０の機能方法に関する。このシステムは、第２のサブシステム１２、１１２、２１２に結合された第１のサブシステム１１、１１１、２１１を備える。第１のサブシステムは、
第１のてん輪Ｂ１１、Ｂ１１１、Ｂ２１１及び第１のひげぜんまいＳ１１、Ｓ１１１、Ｓ２１１を含む第１の発振器Ｏ１１、Ｏ１１１、Ｏ２１１と、
第１のひげぜんまいＳ１１、Ｓ１１１、Ｓ２１１の第１の変位要素Ｍ１１、Ｍ１１１、Ｍ２１１と、
第１の変位要素Ｍ１１、Ｍ１１１、Ｍ２１１の第１の作動要素Ａ１１、Ａ１１１、Ａ２１１と、
を含み、
この方法は、第１のてん輪Ｂ１１、Ｂ１１１、Ｂ２１１の速度がゼロになった時点で又は実質的にその時点で、すなわち第１のてん輪が最小又は最大の角度位置になった時点で又は実質的にその時点で第１の変位要素を作動させることを備え、
第１の変位要素は、作動された場合、衝撃の効果のもとで第１のひげぜんまいの端部又は取付部を変位させ、又は、作動された場合、第１の変位要素は、位置エネルギを変化させるために第１のひげぜんまいの端部又は取付部に衝撃を与える。
【符号の説明】
【０１１５】
ＯＭ１  駆動機関
Ｃ１    運動的連鎖
２      ムーブメント
３      時計部品
１０    調整システム
１１    第１のサブシステム
１２    第２のサブシステム
１３    フレーム
Ｏ１１  第１の発振器
Ｂ１１  第１のてん輪
Ｓ１１  第１のひげぜんまい
Ｍ１１  第１の変位要素
Ａ１１  第１の作動要素
Ｏ１２  第２の発振器
Ｂ１２  第２のてん輪
Ｓ１２  第２のひげぜんまい
Ｍ１２  第２の変位要素
Ａ１２  第２の作動要素
【図１】
2015096852.tif 000005
【図２】
2015096852.tif 000006
【図３】
2015096852.tif 000007
【図４】
2015096852.tif 000008
【図５】
2015096852.tif 000009
【図６】
2015096852.tif 000010
【図７】
2015096852.tif 000011
【図８】
2015096852.tif 000012
【図９】
2015096852.tif 000013
【図１０】
2015096852.tif 000014
【図１１】
2015096852.tif 000015
【図１２】
2015096852.tif 000016
【外国語明細書】
2015096852000001.pdf
2015096852000002.pdf
2015096852000003.pdf
2015096852000004.pdf